(57)【要約】【課題】印刷コストが高騰せず、修正が簡便かつ迅速に行え、贈答者や被贈答者の好みを強く反映させることができるギフト用カタログを提供する。【解決手段】ギフト用カタログセット１は、動産である商品が掲載されている動産型商品カタログ２と、役務を享受できる商品が掲載されている役務型商品カタログ３とを別冊で備え、該動産型商品カタログ２と該役務型商品カタログ３とで一組とされていると共に、前記役務型商品カタログ３には、あらかじめ定められた所定地域が割り当てられており、該役務型商品カタログ３に掲載されている全ての商品について、それぞれ役務を享受できる地域が、該役務型商品カタログ３に割り当てられている地域に包含されている。【選択図】図１
0003166621.tif 000002
【実用新案登録請求の範囲】
【請求項１】
動産である商品が掲載されている動産型商品カタログと、
役務を享受できる商品が掲載されている役務型商品カタログと
を別冊で備え、該動産型商品カタログと該役務型商品カタログとで一組とされていることを特徴とするギフト用カタログセット。
【請求項２】
前記役務型商品カタログには、あらかじめ定められた所定地域が割り当てられており、
該役務型商品カタログに掲載されている全ての商品について、それぞれ役務を享受できる地域が、該役務型商品カタログに割り当てられている地域に包含されている
請求項１に記載のギフト用カタログセット。
【請求項３】
前記役務型商品カタログの商品は、各商品にかかる役務が提供される地域に基づいて定められた複数の地域群ごとに分別されて掲載されている
請求項１に記載のギフト用カタログセット。
【請求項４】
前記動産型商品カタログおよび／または前記役務型商品カタログにおける商品購入方式が、ポイント制購入方式であって、
前記動産型商品カタログおよび／または前記役務型商品カタログにおける各商品掲載欄には、各商品に対応したポイント数が表示されている
請求項１乃至請求項３のいずれか１項に記載のギフト用カタログセット。
【請求項５】
前記動産型商品カタログおよび前記役務型商品カタログが収容される包装用収容体を備えている
請求項１乃至請求項４のいずれか１項に記載のギフト用カタログセット。
【請求項６】
前記動産型商品カタログまたは前記役務型商品カタログに掲載されている商品に基づく商品紹介写真が表示されている商品紹介用パネル板を備え、該商品紹介用パネル板の仕上がり寸法が前記動産型商品カタログまたは前記役務型商品カタログの仕上がり寸法よりも大きくなるように設定されている
請求項１乃至請求項５のいずれか１項に記載のギフト用カタログセット。
【考案の詳細な説明】
【技術分野】
【０００１】
本考案は、例えば贈答品として利用されるギフト用カタログセットに関する。
【背景技術】
【０００２】
近年、例えば結婚式の引き出物のような贈答品として、ギフト用カタログが非常によく利用されている。このギフト用カタログにあっては、贈答者（例えば新郎新婦）が被贈答者（結婚式出席者）に該ギフト用カタログを贈答し、受け取った被贈答者が該ギフト用カタログを閲覧して多数の商品群のなかから欲しい商品を選択し、これを所定の方法に従って注文し、後日該商品を実際に受け取る構成である。
【０００３】
このようなギフト用カタログは、あらゆる商品注文者の好みに対応できるよう、一冊のカタログ冊子のなかに多種多様な商品が掲載されており、豊富な品揃えとなっていることが一般的である。例えば、雑貨商品はあらゆるカテゴリーの商品が掲載され、また温泉旅行券などの体験型商品にあっては、北海道から沖縄まで全国の温泉地が一様に商品掲載され、サービス提供可能な地域に偏りが生じないような編集がなされている。
【０００４】
また、従来のギフト用カタログは、価格帯別に複数のカタログ冊子があらかじめ印刷製本されており、各カタログ冊子ごとに、掲載商品が異ならせてあることもよく知られている。
【０００５】
また、ギフト用カタログ特有の商品購入方式としては、ポイント制購入方式があることもよく知られている。このポイント制購入方式にあっては、商品注文者は商品注文者自らが所有しているポイント数と、カタログに掲載されている商品の価格に応じて割り当てられているポイント数とを考慮しながら商品を購入することとなる（特許文献１参照）。
【先行技術文献】
【特許文献】
【０００６】
【特許文献１】特開２００８−２０７３８２号公報
【考案の概要】
【考案が解決しようとする課題】
【０００７】
しかしながら、上記のような従来構成であると、カタログを印刷製本した後、商品の生産中止・仕様変更などの理由で内容修正しなければならない場合、修正箇所の多少に関わらず、印刷済みのカタログ冊子をほぼ全てのページにわたって編集し直し、かつ印刷製本し直さなければならないため、修正に非常に手間や時間がかかるという問題もあった。このような修正は、特に雑貨などの商品について多く発生する。
【０００８】
また、商品注文者が体験型商品を選ぶ際には、次のような問題があった。すなわち、日本全国一様に体験型商品が掲載されていても、商品注文者の住んでいる地から気軽に行くことできない遠隔地でしかその商品にかかる役務（サービス）を享受できない場合、たとえ体験したい商品内容であったとしても実際にはこれらの商品は検討対象外となってしまうという問題があった。ここで本考案者は、体験型商品はサービスを享受できる地域が限定されるという性質に着眼し、体験型商品にあっては、品揃えを豊富にすべく日本全国にわたって一様に体験型商品を掲載して編集することが、かえって商品注文者にとって不要な情報を多く与えてしまい、結局、商品注文者に対して商品選択の幅を狭めてしまっている、という発想に到った。
【０００９】
そこで、本考案は、前記した従来構成の問題点を解消するためになされたものであり、内容変更の手間や印刷コストの高騰を抑制でき、またいわゆる体験型商品を注文しやすくすることができ、また、贈答者や被贈答者の好みを強く反映させた贈り物とすることができるギフト用カタログを提供することを目的とする。
【課題を解決するための手段】
【００１０】
本考案は、動産である商品が掲載されている動産型商品カタログと、役務を享受できる商品が掲載されている役務型商品カタログとを別冊で備え、該動産型商品カタログと該役務型商品カタログとで一組とされていることを特徴とするギフト用カタログセットである。ここで、前記動産である商品とは、商取引の目的たりうべき物である。また前記役務を享受できる商品とは、他人のために行う労役または便益であって独立して商取引の目的たりうべきものを対象とした商品であり、いわゆる体験型商品である。
【００１１】
上記構成は、動産である商品と、役務を享受できる商品とを別冊としたことを大きな特徴としている。これは、動産である商品（例えば雑貨）は、商品の生産中止などの理由で修正が頻繁に発生することに着目したものであり、このような修正の事態が発生した場合、動産型商品カタログのみ編集し直し、かつ印刷製本し直せばよい。したがって、内容変更の手間や印刷コストの高騰を抑制することができる。
【００１２】
また、前記役務型商品カタログには、あらかじめ定められた所定地域が割り当てられており、該役務型商品カタログに掲載されている全ての商品について、それぞれ役務を享受できる地域が、該役務型商品カタログに割り当てられている地域に包含されていることが好ましい。
【００１３】
このような構成にあっては、被贈答者が住む地域に該当する役務型商品カタログが贈答されることになり、被贈答者である商品注文者は自分が住む地域の体験型商品のみを検討対象とすることができる。したがって、商品注文者は、体験型商品を注文し易くなる。なお、動産である商品は、体験型商品における地域性という特殊事情がないため、動産型商品カタログは特に地域に絞った編集を行わなくてもよい。このため、役務型商品カタログは小ロットで印刷可能となり、さらに印刷コストが低減可能となる。
【００１４】
なお、前記役務型商品カタログの商品は、各商品にかかる役務が提供される地域に基づいて定められた複数の地域群ごとに分別されて掲載されていてもよい。
【００１５】
このような構成の場合、商品注文者は複数の地域群のなかから商品を注文することができる。
【００１６】
さらに、前記動産型商品カタログおよび／または前記役務型商品カタログにおける商品購入方式が、ポイント制購入方式であって、前記動産型商品カタログおよび／または前記役務型商品カタログにおける各商品掲載欄には、各商品に対応したポイント数が表示されている構成が望ましい。
【００１７】
このような構成であると、仮に商品の価格変更が生じた場合でも、上記カタログの商品写真等は一切修正する必要がなく、修正すべきポイント数のみ修正すればよいこととなり、内容修正に対する印刷コストの抑制が可能となる。
【００１８】
さらに、前記動産型商品カタログおよび前記役務型商品カタログが収容される包装用収容体を備えている構成としてもよい。
【００１９】
上記構成とすることにより、例えば該包装用収容体の表面に贈答者が様々な装飾を独自に施して被贈答者に贈答することが可能となり、贈答者や被贈答者の好みを強く反映させたメッセージ性の強い贈り物とすることができる。
【００２０】
また、前記動産型商品カタログまたは前記役務型商品カタログに掲載されている商品に基づく商品紹介写真が表示されている商品紹介用パネル板を備え、該商品紹介用パネル板の仕上がり寸法が前記動産型商品カタログまたは前記役務型商品カタログの仕上がり寸法よりも大きくなるように設定されている構成としてもよい。
【００２１】
上記構成にあっては、該ギフト用カタログセットを景品としたイベント会場において、イベント主催者やイベント幹事が、例えばＡ３サイズの前記商品紹介用パネル板を掲げながらイベントを演出実行することにより、景品対象となっている商品がイベント参加者に瞬時にアピールすることができ、イベントが盛況となる利点がある。
【考案の効果】
【００２２】
本考案のギフト用カタログセットは、内容変更の手間や印刷コストの高騰を抑制でき、またいわゆる体験型商品を注文しやすくすることができ、また贈答者や被贈答者の好みを強く反映させた贈り物とすることができる優れた効果がある。
【図面の簡単な説明】
【００２３】
【図１】ギフト用カタログセット１の全体を示す説明図である。
【図２】地域限定役務型商品カタログ３Ａの表紙を示す説明図である。
【図３】地域限定役務型商品カタログ３Ａの内容を示す説明図である。
【図４】他の地域限定役務型商品カタログ３Ａの内容を示す説明図である。
【考案を実施するための形態】
【００２４】
本考案のギフト用カタログセットの実施例を、図１〜図４に基づいて説明する。
【００２５】
図１に示すように、ギフト用カタログセット１は、動産型商品カタログ２と、役務型商品カタログ３とで構成されている。該動産型商品カタログ２と該役務型商品カタログ３とは、別冊とされており、両カタログ２，３が一組となって被贈答者に提供される。なお、被贈答者に提供される際には、箱型の包装用収容体７内に両カタログ２，３を収容し、パッケージ化して提供されることが望ましい。なお、該包装用収容体７には、贈答者が被贈答者に向けて伝えたいオリジナルなメッセージや写真等が装飾的に付されてもよい。
【００２６】
前記動産型商品カタログ２は、雑貨などの動産が商品として掲載されている。
【００２７】
一方、前記役務型商品カタログ３は、エステサービス券、旅行券、又は宿泊券などの体験を主目的とするいわゆる体験型商品が掲載されている。
【００２８】
このように、動産型商品カタログ２と役務型商品カタログ３とが別冊であると、雑貨商品で特に多い生産中止などの理由による修正があった場合でも、動産型商品カタログ２のみ修正すればよいため、内容変更の手間や印刷コストの高騰を抑制することができる。
【００２９】
上記役務型商品カタログ３は、地域限定することが望ましい。
例えば、図２に示す役務型商品カタログ３Ａには、東京という地域表示４が掲載されており、すなわち当該役務型商品カタログ３Ａに東京という地域が割り当てられている。そして、この東京版の役務型商品カタログ３Ａには、東京でサービス（役務）を受けることができる商品のみが掲載されている。例えば、図３，４に示すように、該役務型商品カタログ３Ａには、温泉旅行、クルーズ体験またはうどん作り体験などの商品表示５が掲載されており、東京で温泉に入浴できたり、東京で宿泊できたりなどする商品に限定されている。
【００３０】
このような、サービス（役務）が提供される場所が初めから絞り込まれて編集された地域限定の体験型カタログを、当該地域に住む被贈答者に贈答することにより、被贈答者である商品注文者は自分が住む地域の体験型商品のみを検討対象として商品を注文することができ、現実的に無理なく注文した商品にかかるサービスをその提供場所まで出向いて体験することができる。また、地域限定の役務型商品カタログ３Ａを備えたギフト用カタログセット１の作製業者は、商品注文者にとって不必要な情報（例えば遠隔地でしか体験できないような商品の情報）を排除して情報提供することができるため、冊子が小ロットとなり、飛躍的に印刷コストを低減できる。また、このように冊子が小ロットとなると、表紙のみを適宜変更した印刷製本も容易に行えるため、あらゆる業者（例えばカタログ販売業者）がその業者オリジナルの表紙のみを作製し、その業者オリジナルの体験型商品カタログ３等を作製することも可能となる。なお、前記役務型商品カタログ３は、あらゆるカテゴリーの商品を掲載してもよいし、例えばレストランで食事をとることができる商品だけに絞ったものとしてもよいし、エステサービスを受けることができる商品だけに絞ったものとしてもよい。また、このように商品カテゴリーが絞られた役務型商品カタログ３を贈答した場合でも、商品注文者が当該役務型商品カタログ３に掲載されている商品以外の商品をインターネットなどの通信手段を介して注文可能としておくことが望ましい。
【００３１】
また、これまでに述べたギフト用カタログセット１の商品購入方式は、ポイント制購入方式であることが望ましい。例えば、図２，３に示す前記役務型商品カタログ３Ａには、各商品に対応したポイント数表示６が掲載されている。
【００３２】
このような構成とすると、価格に応じて商品編集した価格別のカタログ冊子を複数作製する必要がなくなり、印刷コストが飛躍的に抑制される。なお、例えば商品注文者が所有するポイント数が、注文したい商品に対応するポイント数に満たない場合は、不足分のポイント数をポイント管理者から購入して、注文したい商品を購入可能とする構成を採用することも可能である。図示省略しているが、前記動産型商品カタログ２についてもポイント制購入方式が採用されていてもよい。
【００３３】
また、上記役務型商品カタログ３にあっては、各商品にかかる役務が提供される地域に基づいて定められた複数の地域群ごとに分別されて掲載されていてもよい。すなわち、当該役務型商品カタログ３のなかに、北海道地域、東北地域、関東地域、などが表示されて地域ごとに商品が選択可能となっていてもよい。
【００３４】
上記した実施形態は一例に過ぎず、その他様々に設計変更することができる。
【００３５】
例えば、上記動産型商品カタログ２及び役務型商品カタログ３をデータ化してＣＤあるいはＤＶＤなどの情報記録媒体の形態で被贈答者に贈答し、被贈答者すなわち商品注文者はいわゆるパソコンを使って上記カタログ２，３を閲覧する構成としてもよい。また、このような構成とした場合、パソコンで閲覧しつつ、その画面表示とリンクした特定のホームページにインターネット回線を介して閲覧可能とし、贈答者と被贈答者との間柄ならではの面白みのある演出を該ホームページ上で行ってもよい。
【００３６】
また、上記ギフト用カタログセット１の利用形態は様々であり、該ギフト用カタログセット１に会社案内や、個人の思い出等を掲載した印刷物や記録媒体等を付属させて贈答するようにしてもよいし、例えばＣＤジャケットやＤＶＤジャケットの装飾を贈答者が独自に作製して配布するようにしてもよい。
【００３７】
さらに、取り扱い商品に基づく商品紹介写真が掲載されている商品紹介用パネル板を備えたギフト用カタログセット１としてもよい。該商品紹介用パネル板は、該ギフト用カタログセット１を景品としたイベント会場において、イベント主催者やイベント幹事あるいはイベント司会者が使用可能である。例えば該商品紹介用パネル板の寸法をほぼＡ３サイズとし、前記イベント司会者が該商品紹介用パネル板を掲げながらイベントを演出実行することにより、景品対象となっている商品がイベント参加者に対して瞬時にアピールすることができる。なお、イベント会場において景品対象を紹介する手段としては、上記したカタログ２，３を掲げることも考えられるが、少なくともこれらカタログ２，３の仕上がり寸法より大きい仕上がり寸法の商品紹介用パネルを用いた方が、イベントをより一層盛況とすることができる。
【符号の説明】
【００３８】
１          ギフト用カタログセット
２          動産型商品カタログ
３          役務型商品カタログ
７          包装用収容体
【図１】
0003166621.tif 000003
【図２】
0003166621.tif 000004
【図３】
0003166621.tif 000005
【図４】
0003166621.tif 000006